(57)【要約】【課題】簡単な構造で、正面方向の検知領域のみならず、幅方向の検知領域をも容易に遮蔽できるようにする。【解決手段】熱線センサの検知面側を覆うレンズ体５の前方に配設したレンズカバー６の前面６ａに、熱線に対して非透過性を有するレンズシェード８を装着する。レンズシェード８にはスリット部９が幅方向に所定間隔毎に形成されており、各スリット部９間に切り代部１０が形成されている。又、上下に爪部８ａが形成されており、爪部８ａをレンズカバー６の上下端縁とケースカバー３の保持枠３ｃ，３ｄとの間に形成した間隙部７に装着することで位置決めする。そして、レンズシェード８の切り代部１０を切断して、その一部を除去することで、熱線の検知領域を設定する。【選択図】図６
2004333209.tif 000002
【特許請求の範囲】
【請求項１】
熱線を検知する熱線センサを実装する基板を収容するケース本体と、
上記ケース本体の前面に設けると共に上記熱線センサの検知面側を開口するセンサ窓を有するケースカバーと、
上記熱線センサの検知面側を覆うレンズ体と、
上記センサ窓に装着して上記レンズ体の前方を覆うレンズカバーと、
を備える熱線検知スイッチにおいて、
上記センサ窓の前面に上記熱線センサの検知領域を制限するレンズシェードを着脱自在に装着した
ことを特徴とする熱線検知スイッチ。
【請求項２】
上記レンズシェードの上下に爪部を形成し、
上記センサ窓の上下に保持枠を設け、
上記レンズカバーの上下縁部と上記保持枠との間に間隙部を形成し、
上記間隙部に上記レンズシェードの上記爪部を装着して該レンズシェードを上記レンズカバーの前面に保持させる
ことを特徴とする請求項１記載の熱線検知スイッチ。
【請求項３】
上記レンズシェードが上記レンズカバーの略前面全体を遮蔽する大きさを有していると共に、
上記レンズシェードの幅方向に切り代部を設定間隔毎に設けた
ことを特徴とする請求項１或いは２記載の熱線検知スイッチ。
【請求項４】
２枚の上記レンズシェードで上記レンズカバーの略前面全体を遮蔽自在とし、
上記各レンズシェードの幅方向に切り代部を設定間隔毎に設けた
ことを特徴とする請求項１或いは２記載の熱線検知スイッチ。
【請求項５】
同一形状の複数枚の上記レンズシェードで上記レンズカバーを遮蔽自在とする
ことを特徴とする請求項１或いは２記載の熱線検知スイッチ。
【請求項６】
熱線を検知する熱線センサを実装する基板を収容するケース本体と、
上記ケース本体の前面に設けると共に上記熱線センサの検知面側を開口するセンサ窓を有する化粧カバーと、
上記熱線センサの検知面側を覆うレンズ体と、
上記センサ窓に装着して上記レンズ体の前方を覆うレンズカバーと、
を備える熱線検知スイッチにおいて、
上記化粧カバーの上部にシェード収容部を設け、
上記シェード収容部に上記熱線センサの検知領域を制限する複数枚のレンズシェードを上記センサ窓側に対して出し入れ自在に配設した
ことを特徴とする熱線検知スイッチ。
【発明の詳細な説明】
【０００１】
【発明の属する技術分野】
本発明は、人体等から放射される熱線を検知して、照明器具等の負荷手段をオン或いはオフ動作させる熱線検知スイッチに関する。
【０００２】
【従来の技術】
従来、この種の熱線検知スイッチとしては、人体等から放射される熱線を検知する熱線センサと、所定の検知領域からの熱線を熱線センサに集光させるレンズと、熱線センサの検知信号を増幅する増幅手段と、増幅手段によって増幅された熱線センサの検知信号に基づいて、スイッチをオン／オフ制御する制御手段とを備えたものが知られている。この熱線検知スイッチは、例えば、玄関等の壁面に埋め込んで、人の出入りを検知することで、照明器具を自動的にオン或いはオフさせるようにしている。
【０００３】
しかし、この種の熱線検知スイッチでは、熱線の検知領域を制限する機能を備えていないものが多く、例えば、暖房器具から吹き出される熱を検知してしまう等、不要な領域からの熱線の入射によって誤動作してしまう問題がある。
【０００４】
これに対処するに、例えば特開２０００−１３１４５６号公報には、熱線検知スイッチの検知面に設けられているレンズカバーの前面の左右両側に、熱線に対して非透過性を有する２つのレンズシェードをスライド自在に配設し、この両レンズシェードを引き出して、検知領域を適宜制限することで、熱線センサの誤検知を低減する技術が開示されている。
【０００５】
【特許文献１】
特開２０００−１３１４５６号公報
【０００６】
【発明が解決しようとする課題】
しかし、上述した公報に開示されている技術では、レンズシェードをスライド自在に取り付けているため、スムーズなスライド性を得るためには、レンズシェードをレンズカバー前面とほぼ同一の曲率で形成する必要がある。従って、レンズシェードを比較的硬い材料で形成しなければならず、製造コストが嵩む問題がある。
【０００７】
又、レンズシェードを左右両側からスライドさせる構造であるため、正面方向の検知領域のみを遮蔽することが困難である。
【０００８】
本発明は、上記事情に鑑み、簡単な構造で、しかもレンズシェードを軟性部材で形成することで製造コストの低減を図ると共に、正面方向の検知領域のみならず、幅方向の検知領域をも容易に遮蔽することのできる熱線検知スイッチを提供することを目的とする。
【０００９】
【課題を解決するための手段】
上記目的を達成するため第１の発明、熱線を検知する熱線センサを実装する基板を収容するケース本体と、上記ケース本体の前面に設けると共に上記熱線センサの検知面側を開口するセンサ窓を有するケースカバーと、上記熱線センサの検知面側を覆うレンズ体と、上記センサ窓に装着して上記レンズ体の前方を覆うレンズカバーとを備える熱線検知スイッチにおいて、上記センサ窓の前面に上記熱線センサの検知領域を制限するレンズシェードを着脱自在に装着したことを特徴とする。
【００１０】
第２の発明は、第１の発明において、上記レンズシェードの上下に爪部を形成し、上記センサ窓の上下に保持枠を設け、上記レンズカバーの上下縁部と上記保持枠との間に間隙部を形成し、上記間隙部に上記レンズシェードの上記爪部を装着して該レンズシェードを上記レンズカバーの前面に保持させることを特徴とする。
【００１１】
第３の発明は第１或いは第２の発明において、上記レンズシェードが上記レンズカバーの略前面全体を遮蔽する大きさを有していると共に、上記レンズシェードの幅方向に切り代部を設定間隔毎に設けたことを特徴とする。
【００１２】
第４の発明は、第１或いは第２の発明において、２枚の上記レンズシェードで上記レンズカバーの略前面全体を遮蔽自在とし、上記各レンズシェードの幅方向に切り代部を設定間隔毎に設けたことを特徴とする。
【００１３】
第５の発明は、第１或いは第２の発明において、同一形状の複数枚の上記レンズシェードで上記レンズカバーを遮蔽自在とすることを特徴とする。
【００１４】
第６の発明は、熱線を検知する熱線センサを実装する基板を収容するケース本体と、上記ケース本体の前面に設けると共に上記熱線センサの検知面側を開口するセンサ窓を有する化粧カバーと、上記熱線センサの検知面側を覆うレンズ体と、上記センサ窓に装着して上記レンズ体の前方を覆うレンズカバーとを備える熱線検知スイッチにおいて、上記化粧カバーの上部にシェード収容部を設け、上記シェード収容部に上記熱線センサの検知領域を制限する複数枚のレンズシェードを上記センサ窓側に対して出し入れ自在に配設したことを特徴とする。
【００１５】
【発明の実施の形態】
以下、図面に基づいて本発明の一実施の形態を説明する。図１〜図６に本発明の第１実施の形態を示す。ここで、図１は熱線検知スイッチの正面図、図２は図１の一部断面右側面図、図３はレンズシェードを装着した状態の熱線検知スイッチの正面図、図４は図３のＩＶ−ＩＶ要部断面図、図５はレンズカバーの前面にレンズシェードを装着した状態の平面図、図６はレンズカバーとレンズシェードの斜視図である。
【００１６】
図中の符号１は熱線検知スイッチのケースで、このケース１は合成樹脂成型品であり、ケース本体２と、このケース本体２の前面に装着されるケースカバー３とを有している。尚、ケース本体２には、人体等から放射される熱線（赤外線）を検知する熱線センサ、明るさセンサ、及び複数の操作スイッチ或いは調整ボリューム等の回路部品を実装するプリント基板２ａが収容されている。
【００１７】
又、ケースカバー３の上部に、操作スイッチや調整ボリューム等の操作手段１１を臨ませる操作窓３ａが形成され、下部にセンサ窓３ｂが開口されており、操作窓３ａは蓋体４で開閉自在に覆われている。更に、センサ窓３ｂに、プリント基板２ａに実装されている熱線センサや明るさセンサの検知面が臨まされている。この熱線センサの検知面側が、熱線に対して透過性を有する材料で形成されたレンズ体５で覆われている。尚、図示しないが、このレンズ体５に、外部からの熱線を熱線センサに集光するフレネルレンズが一体に設けられている。
【００１８】
更に、レンズ体５の前方に、熱線に対して透過性を有する材料で形成されたレンズカバー６が配設されている。図５、図６に示すように、レンズカバー６は、前面６ａが所定曲率で湾曲形成され、後端が開口された箱形に形成されており、後端の四隅にフック６ｂが突設されている。このフック６ｂをケースカバー３内に掛止することで、センサ窓３ｂがレンズカバー６により閉塞される。
【００１９】
図２に示すように、センサ窓３ｂの上下には、レンズカバー６の上縁部と下縁部とを保持する保持枠３ｃ，３ｄが各々形成されている。更に、この各保持枠３ｃ，３ｄの内壁とレンズカバー６の上下端縁との間に微小な間隙部７が形成されている。この間隙部７は、レンズカバー６の前面６ａとほぼ同一の曲率で形成されている。
【００２０】
又、図２、図３に示すように、センサ窓３ｂの前部に、熱線に対して非透過性を有するレンズシェード８が装着されている。尚、熱線に対して非透過性を有する材料としては、フッ素系樹脂、金属、メタクリル樹脂等がある。
【００２１】
このレンズシェード８は比較的軟性を有する薄板材を用いて形成されており、レンズカバー６の前面６ａのおおよそ全体を覆う大きさに形成されている。又、このレンズシェード８の上下端に、センサ窓３ｂの上下に形成された間隙部７に装着される爪部８ａが突設されている。
【００２２】
図２、図５に示すように、この爪部８ａが間隙部７に装着された状態では、レンズシェード８がレンズカバー６の前面６ａに倣った形状に湾曲される。従って、レンズシェード８は、予めレンズカバー６の前面６ａに沿った曲面に曲げ形成しておいても良いが、単なる平坦な平板であっても良い。レンズシェード８を平坦な平板とすることで、加工工数を削減することができる。
【００２３】
又、レンズシェード８には、図３の幅方向に所定間隔毎にスリット部９が形成されている。この各スリット部９は、縦溝部９ａと、この縦溝部９ａの上下端に形成された横溝部９ｂとを有し、互いに隣接する横溝部９ｂ間に切り代部１０が形成されている。
【００２４】
このような構成では、図１に示すように、ケースカバー３のセンサ窓３ｂに対し、図６に示すレンズシェード８が装着されていない状態では、レンズカバー６を介し、レンズ体５に覆われている熱線センサ（図示せず）に対して熱線が遮蔽されることなく入射されるため、検知領域は最大となる。
【００２５】
一方、図４に示すように、レンズシェード８の上下に形成されている爪部８ａを、レンズカバー６の上下縁と、センサ窓３ｂの保持枠３ｃ，３ｄとの間に形成した微小な間隙部７（図２参照）に装着し、レンズカバー６の前面６ａのほぼ全体を覆った場合は、熱線センサ（図示せず）に対して入射する熱線のほとんどが遮蔽されるため、検知領域は、ほぼ０となる。
【００２６】
この状態で、レンズシェード８の幅方向に設定間隔毎に形成した切り代部１０を、縦方向へ適宜切断して、レンズシェード８の一部を除去することで、レンズカバー６の一部をセンサ窓３ｂから露呈させる。その結果、レンズカバー６の露呈した部分から主に熱線が入射されるため、熱線の検知領域を設定することができる。
【００２７】
この場合、例えばレンズシェード８の一方の側面の切り代部１０を切断して、側面側のレンズシェード８を除去した場合は、検知領域を側面方向にのみ制限することができる。又、両側の切り代部１０を切断して、レンズシェード８を正面にのみ残すことで、前方の検知領域からの熱線を遮蔽することができる。尚、図３の一点鎖線は、レンズシェード８を縦方向へ切断する部分を示す。
【００２８】
その結果、例えば暖房器具から吹き出される熱の検知領域に対応する部位のレンズシェード８を残すことで、暖房機からの熱線による誤検知を防止することができる。
【００２９】
このように、本実施の形態によれば、レンズシェード８を比較的軟性を有する薄板材で形成したので、製造が容易となり、製造コストの低減を図ることができる。又、レンズシェード８は取り外し自在な簡単な形状に形成されているため、構造の簡素化が実現できる。
【００３０】
又、図７に本発明の第２実施の形態による図６相当の斜視図を示す。尚、第１実施の形態と同一の構成部分については同一の符号を付して説明を省略する。
【００３１】
上述した第１実施の形態では、レンズシェード８をレンズカバー６の前面６ａのほぼ全体を覆うサイズに形成したが、本実施の形態では、幅方向に分割された２枚のレンズシェード１５，１６でレンズカバー６の前面６ａのほぼ全体を覆うようにしたものである。
【００３２】
各レンズシェード１５，１６は、レンズカバー６の前面６ａの中央から左右にほぼ二分された領域を遮蔽するサイズに形成されており、上下端に、ケースカバー３の間隙部７（図２参照）に装着される爪部１５ａ，１６ａが各々形成されている。
【００３３】
このような構成では、上述した第１実施の形態の作用効果に加えて、２枚のレンズシェード１５，１６でレンズカバー６の前面６ａを覆うようにしたので、例えば熱線の不要な検知領域が、一方の側面に存在する場合は、レンズシェード１５，１６の一方をセンサ窓３ｂ（図１、図２参照）に装着するだけで、不要な検知領域からの熱線を簡単に遮蔽することができる。
【００３４】
又、図８、図９に本発明の第３実施の形態を示す。ここで、図８は図６相当の斜視図、図９はレンズシェードを示し、（ａ）は正面図、（ｂ）は側面図、（ｃ）は平面図である。
【００３５】
上述した第２実施の形態では、２枚のレンズシェード１５，１６でレンズカバー６の前面６ａのほぼ全体を覆うようにしたが、本実施の形態では、熱線に対して非透過性を有する材料で形成した複数枚の同一形状のレンズシェード１７を幅方向に配設することで、レンズカバー６の前面６ａのほぼ全体を覆うようにしたものである。
【００３６】
図９に示すように、各レンズシェード１７は縦長の比較的軟性を有する薄板材を用いて形成されている。又、各レンズシェード１７の上下端には、ケースカバー３の間隙部７（図２参照）に装着される爪部１７ａが各々形成されている。
【００３７】
このような構成では、上述した第１の実施の形態の作用効果に加えて、複数枚の同一形状のレンズシェード１７で、レンズカバー６の前面６ａのほぼ全体を覆うようにしたので、必要な熱線の検知領域に対応する部位のレンズシェード１７を取り外すだけで、不要な熱線の検知領域を簡単に設定することができる。又、第１実施の形態のようにレンズシェード１７の一部を一々切り取る必要がないため、取扱性がよい。
【００３８】
図１０〜図１５に本発明の第４実施の形態を示す。ここで、図１０は熱線検知スイッチの正面図、図１１は図１０の右側面図、図１２は図１０のＸＩＩ−ＸＩＩ要部断面図、図１３は図１２の要部拡大図、図１４は化粧カバーの斜視図、図１５はレンズカバーの斜視図である。
【００３９】
本実施の形態では、ケースカバー３の下部に、樹脂製の化粧カバー２１が装着されている。この化粧カバー２１は前面を湾曲させた袋状に形成されており、下部前面にセンサ窓２１ａが開口され、上部にシェード収容部２１ｂが形成され、更に、背面の四隅にフック２１ｃが形成されている。化粧カバー２１は、ケースカバー３の両側内面にフック２１ｃを掛止させることで固設される。
【００４０】
化粧カバー２１の前部内側には、熱線に対して透過性を有するレンズカバー２２が装着されている。図１５に示すように、レンズカバー２２は、薄板材を用いて形成されており、中央が湾曲され、両側に掛止孔２２ａが穿設されている。尚、レンズカバー２２は、化粧カバー２１の両側内面に形成されている爪（図示せず）に掛止孔２２ａを掛止させて固設する。
【００４１】
又、図１２に示すように、化粧カバー２１のシェード収容部２１ｂの内壁とレンズカバー２２の前面との間に収容間隙部２１ｄが形成されている。この収容間隙部２１ｄに、所定幅の短冊状に形成された複数枚のレンズシェード２３が幅方向に整列された状態で挿入されている。このレンズシェード２３は熱線に対して非透過性を有する板材を用いて形成されており、下端に摘み部２３ａが形成されている。この摘み部２３ａは、前方へＬ字状に曲げ形成されており、この摘み部２３ａを把持し、或いは指などを引っかけることで、各レンズシェード２３を上下させる。
【００４２】
図１３に示すように、レンズシェード２３の前面に突起部２３ｂが形成されており、この突起部２３ｂに係合する凹部２１ｅがシェード収容部２１ｂの内面に形成されている。レンズシェード２３の突起部２３ｂが、シェード収容部２１ｂに係合された状態では、摘み部２３ａが、収容部１２ｂの下端に当接されて、センサ窓２１ａが全開となる。一方、レンズシェード２３を引き下げて、摘み部２３ａをセンサ窓２１ａの下端２１ｆに当接させると、このレンズシェード２３によりレンズカバー２２の前面が覆われて熱線が遮蔽される。
【００４３】
このように、本実施の形態によれば、図１４に示すように、複数枚のレンズシェード２３を、選択的に引き下げることで、前方の不要な検知領域からの熱線を選択的に遮蔽することができるようにしたので、誤検知を高精度に防止することができる。又、各レンズシェード２３の上げ下げにより熱線の検知領域を遮蔽しているため、遮蔽領域を簡単に再設定することができ、取扱性がよい。
【００４４】
この場合、例えば突起部２３ｂをレンズシェード２３の上部に形成し、こ突起部２３ｂに係合する凹部２１ｅを、収容部１２ｂの内壁に対して縦方向に所定ピッチ毎に形成しておくことで、レンズシェード２３を段階的に引き下げることが可能となり、レンズシェード２３を半開き状態とすることで、上方からの不要な熱線を遮蔽すると共に、前方から下方にかけての検知領域を確保することができ、誤動作をより一層防止することができる。
【００４５】
【発明の効果】
以上、説明したように本発明によれば、構造を簡素化し、しかもレンズシェードを軟性部材で形成することで製造コストの低減を図ることができる。又、正面方向の検知領域のみならず、幅方向の検知領域をも容易に遮蔽することができるので、不要な検知領域からの熱線を遮蔽して誤動作を高精度に防止することができる。
【図面の簡単な説明】
【図１】第１実施の形態による熱線検知スイッチの正面図
【図２】同、図１の一部断面右側面図
【図３】同、レンズシェードを装着した状態の熱線検知スイッチの正面図
【図４】同、図３のＩＶ−ＩＶ要部断面図
【図５】同、レンズカバーの前面にレンズシェードを装着した状態の平面図
【図６】同、レンズカバーとレンズシェードの斜視図
【図７】第２実施の形態による図６相当の斜視図
【図８】第３実施の形態による図６相当の斜視図
【図９】同、レンズシェードを示し、（ａ）は正面図、（ｂ）は側面図、（ｃ）は平面図
【図１０】第４実施の形態による熱線検知スイッチの正面図
【図１１】同、図１０の右側面図
【図１２】同、図１０のＸＩＩ−ＸＩＩ要部断面図
【図１３】同、図１２の要部拡大図
【図１４】同、化粧カバーの斜視図
【図１５】同、レンズカバーの斜視図
【符号の説明】
２  ケース本体
２ａ  プリント基板
３  ケースカバー
３ｂ，２１ａ  センサ窓
３ｃ，３ｄ  保持枠
５  レンズ体
６，２２  レンズカバー
７  間隙部
８，１５，１７，２３  レンズシェード
８ａ，１５ａ，１７ａ  爪部
１０  切り代部
２１  化粧カバー
２１ｂ  シェード収容部
【図１】
2004333209.tif 000003
【図２】
2004333209.tif 000004
【図３】
2004333209.tif 000005
【図４】
2004333209.tif 000006
【図５】
2004333209.tif 000007
【図６】
2004333209.tif 000008
【図７】
2004333209.tif 000009
【図８】
2004333209.tif 000010
【図９】
2004333209.tif 000011
【図１０】
2004333209.tif 000012
【図１１】
2004333209.tif 000013
【図１２】
2004333209.tif 000014
【図１３】
2004333209.tif 000015
【図１４】
2004333209.tif 000016
【図１５】
2004333209.tif 000017